(57)【要約】【課題】本発明は、装着が容易で、膝を十分保温でき、膝の屈伸を補助でき、ずり落ち難い膝サポータを提供する。【解決手段】着用者の膝頭と、膝上および膝下の前面を覆う膝当布２と、着用者の膝上を取り囲んで締め付ける膝上固定手段と、着用者の膝下を取り囲んで締め付ける膝下固定手段とを有する膝サポータ１において、膝上固定手段は、膝当布の膝上両側部を接続し、着用者の膝上の裏側を覆う脚裏布３と、膝当布３の膝上両側部から延伸し、膝当布２の上に重ねて巻き付けるようにして、脚裏布３と共に着用者の膝上を締め付ける膝上緊締帯６とを有し、好ましくは、脚裏布３は、着用者の大腿裏側を覆ように延伸し、膝当布２は、脚裏布３と分離されて着用者の大腿前部に延伸する上伸部２ａを有し、脚裏布３の大腿側部から延伸し、上伸部２ａの上に重ねて巻き付けるようにして着用者の大腿を締め付ける大腿緊締帯７を有する大腿固定手段をさらに設ける。【選択図】図１
2007169861.tif 000002
【特許請求の範囲】
【請求項１】
着用者の膝頭と、膝上および膝下の前面を覆う膝当布と、
着用者の膝上を取り囲んで締め付ける膝上固定手段と、
着用者の膝下を取り囲んで締め付ける膝下固定手段と、を有し、
前記膝上固定手段は、前記膝当布の膝上両側部に接続し、着用者の膝上の裏側を覆う脚裏布と、
前記膝当布の膝上両側部から延伸し、前記膝当布の上に重ねて巻き付けるようにして、前記脚裏布と共に着用者の膝上を締め付ける膝上緊締帯と、を有することを特徴とする膝サポータ。
【請求項２】
前記膝当布は、前記脚裏布と分離されて上方に延伸する上伸部を有し、
前記膝上緊締帯は、前記上伸部の上にも重ねて巻き付けられることを特徴とする請求項１に記載の膝サポータ。
【請求項３】
着用者の大腿裏側を覆ように延伸した前記脚裏布と、
前記膝当布から、前記脚裏布と分離されて着用者の大腿前部に延伸する上伸部と、
前記脚裏布の大腿側部から延伸し、前記上伸部の上に重ねて巻き付けるようにして着用者の大腿を締め付ける大腿緊締帯と、からなり、着用者の大腿を取り囲んで締め付ける大腿固定手段をさらに有することを特徴とすることを特徴とする請求項１に記載の膝サポータ。
【請求項４】
前記膝上緊締帯は、前記膝当布の両側部に設けられ、互いにおよび前記膝当布に対して着脱可能な着脱手段を有することを特徴とする請求項１から３のいずれかに記載の膝サポータ。
【請求項５】
着用者の膝、膝上および膝下の両側に沿うように、前記膝当布および前記脚裏布の両側部に固定されたばね部材を有することを特徴とする請求項１から４のいずれかに記載の膝サポータ。
【請求項６】
前記膝上固定手段および前記膝下固定手段は、膝窩を露出する開口を形成することを特徴とする請求項１から５のいずれかに記載の膝サポータ。
【請求項７】
着用者の膝上および膝下を取り囲んで締め付ける膝サポータ本体と、
伸縮性の材料で形成され、着用者の膝頭の下縁に接するように前記本体に貼着される中央部、および、前記中央部から両側に延伸して前記膝サポータ本体の膝上の両側部または裏側に着脱可能な側帯部からなる補助ベルトと、を有することを特徴とする膝サポータ。
【請求項８】
前記膝サポータ本体は、前記補助ベルトが貼着される位置に、前記補助ベルトの前記中央部と略合致するように形成された弾性パッドが取り付けられていることを特徴とする請求項７に記載の膝サポータ。
【請求項９】
前記補助ベルトは、両端部が前記中央部から斜め上方に延伸する略Ｖ字型に形成されていることを特徴とする請求項７または８に記載の膝サポータ。
【請求項１０】
着用者の膝上および膝下を締め付ける膝サポータ本体に着脱可能であり、
伸縮性の材料からなり、
着用者の膝頭の下縁に適合するように形成され、裏面に前記膝サポータ本体の表面に着脱自在な着脱手段が設けられた中央部と、
前記中央部の両側から大腿側部に向かってそれぞれ斜め上方に延伸し、少なくとも両先端の裏面に前記膝サポータの表面に着脱自在な着脱手段が設けられた側帯部と、からなることを特徴とする膝サポータ用補助ベルト。
【発明の詳細な説明】
【技術分野】
【０００１】
本発明は、膝サポータおよび膝サポータ用補助ベルトに関する。
【背景技術】
【０００２】
従来、膝の保温や屈伸の補助を目的とし、膝頭、膝上および膝下を覆う多様な膝サポータが市販されている。
【０００３】
例えば、特許文献１に記載されている膝サポータは、膝上から膝下までの裏側を覆う生地に、膝上を締め付けるバンドと、膝下を締め付けるバンドと、膝頭を覆うバンドとが設けられており、膝上から膝下にかけて両側にばね部材を有している。この膝サポータは、膝上と膝下とをバンドで覆ってから、露出している膝頭を別のバンドで覆うようになっているが、膝頭の周囲に隙間ができ、膝の保温が不十分であるという問題があった。
【０００４】
また、特許文献２に記載されている膝サポータは、膝頭と膝上および膝下の前部を覆う生地に、膝上および膝下をそれぞれ締め付けるバンドを設けてある。この膝サポータでは、膝頭を十分に保温することができるが、大腿の裏側でバンドを貼り合わせる必要があり、筋力やバランス能力の低下した老人などには、装着が容易でないという問題があった。
【０００５】
また、特許文献３に記載されているように、予め筒状に形成されている膝サポータは、膝サポータを押し広げるようにつま先から脚を挿入して、両手で引き上げるようにして装着する必要があり、やはり、老人などには装着が容易ではないという問題があった。
【０００６】
また、特許文献４には、筒状の膝サポータに膝上および膝下をそれぞれ締め付ける羽根を設けた膝サポータが記載されているが、脚を挿入し易いように筒の径を大きくすると、羽根で締め付けたときに筒状の部分がひだ状に折り重ねられて装着感が悪くなるという問題があった。
【０００７】
また、特許文献５には、膝サポータのずり落ちを防止するために膝窩から膝上前部および膝下前部をそれぞれ斜めに締め付ける補助ベルトが記載されているが、ベルトで膝窩を覆うことにより、膝の屈伸を阻害したり違和感をもたらすという問題があった。
【特許文献１】特開平７−２６５３５４号公報
【特許文献２】特開平９−２８７２４号公報
【特許文献３】特開平９−２８５５８７号公報
【特許文献４】特開平７−１９４６４９号公報
【特許文献５】登録実用新案第３０５６５２７号公報
【発明の開示】
【発明が解決しようとする課題】
【０００８】
前記問題点に鑑みて、本発明は、装着が容易で、膝を十分に保温でき、膝の屈伸を補助でき、ずり落ち難い膝サポータを提供することを課題とする。
【０００９】
また、本発明は、装着しても違和感のない膝サポータのずり落ちを防止する膝サポータ用補助ベルトを提供することをも課題とする。
【課題を解決するための手段】
【００１０】
前記課題を解決するために、本発明による膝サポータの第１の態様は、着用者の膝頭と、膝上および膝下の前面を覆う膝当布と、着用者の膝上を取り囲んで締め付ける膝上固定手段と、着用者の膝下を取り囲んで締め付ける膝下固定手段とを有し、前記膝上固定手段は、前記膝当布の膝上両側部に接続し、着用者の膝上の裏側を覆う脚裏布と、前記膝当布の膝上両側部から延伸し、前記膝当布の上に重ねて巻き付けるようにして、前記脚裏布と共に着用者の膝上を締め付ける膝上緊締帯と、を有するものとする。
【００１１】
この構成によれば、膝当布と脚裏布とは、膝上部分において着用者の脚が挿入される筒を構成する。この筒は、膝上部分だけの短い筒であり、膝上緊締帯で締め付ける前は着用者の膝上に比べて周長が大きいので容易に脚を挿入することができる。このため、この膝サポータは、着用が容易である。また、膝当布が膝頭と、膝上および膝下とを連続して覆い、膝上緊締帯が膝当布の上から着用者の膝上を締め付けるので、膝頭および膝頭の周囲を隙間なく覆うことができ、保温性に優れる。また、膝上緊締帯は膝当布の上に巻き付けるように、着用者の大腿の前側に固定されるので、着用者自身が容易に装着することができる。
【００１２】
また、本発明の第１の態様の膝サポータにおいて、前記膝当布は、前記脚裏布と分離されて上方に延伸する上伸部を有し、前記膝上緊締帯は、前記上伸部の上にも重ねて巻き付けられてもよい。
【００１３】
この構成によれば、膝上緊締帯を大きくして、着用者の膝上にしっかりと保持されるようにしても、上伸部を脚裏布から分離するので、着用者が脚を挿入する筒を短いものにできる。これによって、膝サポータは、保温性や装着感に優れていながら、容易に装着できる。
【００１４】
また、本発明の第１の態様の膝サポータにおいて、着用者の大腿裏側を覆ように延伸した前記脚裏布と、前記膝当布から、前記脚裏布と分離されて着用者の大腿前部に延伸する上伸部と、前記脚裏布の大腿側部から延伸し、前記上伸部の上に重ねて巻き付けるようにして着用者の大腿を締め付ける大腿緊締帯と、からなり、着用者の大腿を取り囲んで締め付ける大腿固定手段をさらに有してもよい。
【００１５】
この構成によれば、大腿固定手段で着用者の大腿をさらに締め付けるので、膝サポータはより一層ずれ落ちにくくなる。また、大腿固定手段は、膝当布の上伸部と脚裏布とが分離されており、筒状に形成されていないので、着用者が脚を挿入することを阻害しない。また、上伸部は、脚裏布と分離されているので、大腿緊締帯で着用者の大腿を締め付けたときにひだ寄せして折り重ねられることがなく、装着感が良好である。
【００１６】
また、本発明の第１の態様の膝サポータにおいて、前記膝上緊締帯は、前記膝当布の両側部に設けられ、互いにおよび前記膝当布に対して着脱可能な着脱手段を有してもよい。
【００１７】
この構成によれば、着用者は、両膝上緊締帯を膝上前側で固定することになるので作業が容易であり、しっかりと固定できる。さらに膝上緊締帯を膝当布に片側ずつ順番に固定できれるので、装着がより簡単で強く締め付けることができる。
【００１８】
また、本発明の第１の態様の膝サポータにおいて、着用者の膝、膝上および膝下の両側に沿うように、前記膝当布および前記脚裏布の両側部に固定されたばね部材を有してもよい。
【００１９】
この構成によれば、ばね部材の弾性によって膝の屈伸を補助することができる。
【００２０】
また、本発明の第１の態様の膝サポータにおいて、前記膝上固定手段および前記膝下固定手段は、膝窩を露出する開口を形成してもよい。
【００２１】
この構成によれば、膝を曲げたときに、膝の裏に挟み込まれて、屈伸を阻害したり装着者に違和感を与えることがない。
【００２２】
また、本発明による膝サポータの第２の態様は、着用者の膝上および膝下を取り囲んで締め付ける膝サポータ本体と、伸縮性の材料で形成され、着用者の膝頭の下縁に接するように前記本体に貼着される中央部、および、前記中央部から両側に延伸して前記膝サポータ本体の膝上の両側部または裏側に着脱可能な側帯部からなる補助ベルトと、を有するものとする。
【００２３】
この構成によれば、サポータ本体の膝下部分と膝上部分とが、補助ベルトによって互いに引っ張り合うことで膝サポータ本体のずり落ちを防止できる。また、補助ベルトは、膝頭の下縁から膝の側部を通って膝上固定手段に至るので、膝を曲げたときに膝窩に挟み込まれることがなく、屈伸を阻害したり装着者に違和感を与えることがない。また、補助ベルトで着用者の膝下部を引っ張り上げるように圧迫して、関節の痛みを和らげる作用もある。
【００２４】
また、本発明の第２の態様の膝サポータにおいて、前記膝サポータ本体は、前記補助ベルトが貼着される位置に、前記補助ベルトの前記中央部と略合致するように形成された弾性パッドが取り付けられていてもよい。
【００２５】
この構成によれば、補助ベルトによる圧迫を弾性パッドが緩和し、また、転倒時には膝頭を保護することができる。
【００２６】
また、本発明の第２の態様の膝サポータにおいて、前記補助ベルトは、両端部が前記中央部から斜め上方に延伸する略Ｖ字型に形成されていてもよい。
【００２７】
この構成によれば、補助ベルトは、膝頭の下縁のから膝の側部を通って大腿に至るように膝サポータ本体にぴったりと装着するために過度の伸縮性が要求されないので、弾性係数の大きな材料で形成できる。これによって、補助ベルトは、少ない延伸量で大きな張力を発揮することができ、効果的に膝サポータのずり落ちを防止できる。
【００２８】
また、本発明によれば、着用者の膝上および膝下を締め付ける膝サポータ本体に着脱可能な膝サポータ用補助ベルトは、伸縮性の材料からなり、着用者の膝頭の下縁に適合するように形成され、裏面に前記膝サポータの表面に着脱自在な着脱手段が設けられた中央部と、前記中央部の両側から大腿側部に向かってそれぞれ斜め上方に延伸し、少なくとも両先端の裏面に前記膝サポータの表面に着脱自在な着脱手段が設けられた側帯部と、からなるものとする。
【００２９】
この構成によれば、膝サポータの膝上部および膝下部が、補助ベルトによって互いに引っ張り合うことで膝サポータのずり落ちを防止できる。補助ベルトは、膝頭の下縁から膝の側部を通って膝上固定手段に至るので、膝を曲げたときに膝窩に挟み込まれることがなく、屈伸を阻害したり装着者に違和感を与えることがない。
【発明の効果】
【００３０】
以上のように、本発明の膝サポータは、膝上緊締帯を膝当布の膝上布部に巻き付けて膝上を締め付けて固定するので、膝頭周辺に隙間ができず、保温性に優れる。また、本発明の補助ベルトは、膝頭の下縁から膝の側部を通って膝上固定手段に至るので、膝サポータのずり落ちを防止しながら、膝窩に挟み込まれることがなく、屈伸を阻害したり装着者に違和感を与えることがない。
【発明を実施するための最良の形態】
【００３１】
これより、本発明の実施形態について、図面を参照しながら説明する。
図１および図２に、本発明の一つの実施形態である膝サポータ１を開いた状態を、そして、図３および４に膝サポータ１を人体に装着した状態を示す。
【００３２】
膝サポータ（本体）１は、表面が起毛された伸縮性のあるニット生地を縫製してなり、着用者の膝頭と膝下および膝上の前面とを覆い、さらに大腿前部に延伸する上伸部２ａを有する膝当布２と、膝当布２の膝上両側部を接続し、着用者の膝上および大腿の裏側を覆う脚裏布３と、膝当布２および脚裏布３の側部に固定されたコイルボーン（ばね部材）４と、膝当布２の膝下両側部から延伸して着用者の膝下を取り囲んで締め付ける膝下緊締帯５と、膝当布２の膝上両側部から延伸し、膝当布２の膝上部に巻き付けるようにして、膝裏布３と共に、着用者の膝上を取り囲んで締め付ける膝上緊締帯６と、脚裏布３の大腿両側部から延伸し、膝当布２の上伸部２ａに巻き付けるようにして、膝裏布３と共に、着用者の大腿を取り囲んで締め付ける大腿緊締帯７とからなる。膝当布２の上伸部２ａは、脚裏布３から分離されており、着用者の大腿前部にあてがわれるようになっている。膝下緊締帯５、膝上緊締帯６および大腿緊締帯７は、それぞれ裏面に、膝サポータ１を構成するニット生地の表面に着脱可能な面ファスナ８が縫い付けられている。また、膝当布２の膝下部には、着用者の膝頭の下縁に合致するように形成された弾性パッド９が内面に取り付けられている。
【００３３】
続いて、本実施形態の膝サポータ１の特徴を説明する。
膝サポータ１は、図１および図２のように、膝下緊締帯５、膝上緊締帯６および大腿緊締帯７を開いた状態で、着用者が脚をつま先から挿入し、両手で膝を覆う位置まで引き上げる、いわゆる「穿く」ことで所定の位置にあてがわれる。このとき、膝サポータ１は、膝当布２および脚裏布３の膝上部分だけが短い筒状をなしており、膝上緊締帯６で締め付けられる前は着用者の脚に比べて周長が長い。筒状部分が短いために、着用者は容易につま先から脚を挿入することができ、筒状部分の径が大きいために、小さな力で所定の位置まで引き上げることができる。よって、筋力やバランス感覚が衰えた老人や、手足の不自由な人でも、容易に膝サポータ１を所定の位置に穿くことができる。
【００３４】
着用者は、膝サポータ１を膝を覆う所定の位置に穿いた後、膝下緊締帯５、膝上緊締帯６および大腿緊締帯７で、それぞれ、膝下、膝上および大腿を締め付ける必要がある。着用者が膝を曲げて座った状態では、膝下緊締帯５は、脛の裏側、つまり、着用者自身にとって手前側で貼着されることになり、着用者に過度の負担を強いることがない。また、膝上緊締帯６および膝上緊締帯７は、着用者の太ももの上側、つまり、着用者にとって手前側で容易に貼着される。さらに、着用者は、先ず、片側の膝上緊締帯６を膝当布２に対して貼着してから、反対側の膝上緊締帯６を先に貼着した膝上緊締帯６の上に重ねて貼着できる。このため、着用者は、膝上緊締帯６を片側ずつ引っ張って上伸部２ａに貼着し、膝上を強い力で締め付けることができる。
【００３５】
また、着用者は、膝上緊締帯６と同様に、大腿緊締帯７を片側ずつ貼着して、大腿を強く締め付けることもできる。さらに、上伸部２ａが脚裏布３と分離されているため、大腿緊締帯７を締め付けたときに、上伸部２ａはひだ寄せされることなく着用者の大腿前部に拡げられた状態を維持することができる。これによって、上伸部２ａが着用者の大腿に均等に密着して良好な装着感が得られる。
【００３６】
コイルボーン４は、その弾性によって膝の屈伸を補助する。また、コイルボーン４は、膝サポータ１を装着する課程において、脚裏布３の上部や大腿緊締帯７が下方に垂れ下がって着用し難くなるのを防ぐ作用もある。
【００３７】
また、図４に示すように、膝サポータ１が人体に装着された状態で、膝下緊締部５および膝上緊締部６は、膝窩を露出させる開口を形成している。これによって、着用者が膝を曲げたときに、膝の裏に挟み込まれるものがなく、違和感等を与えることがない。
【００３８】
さらに、本実施形態の膝サポータ１には、図５に示す補助ベルト１０を装着することができる。補助ベルト１０は、膝サポータ１と同じ伸縮性のあるニット生地で形成されており、膝サポータ１の弾性パッド９に合致するように形成され、裏面に面ファスナ８が縫い付けられた中央部１１と、中央部１１の両側からそれぞれ約４５°斜め上方に延伸し、中央と先端の裏面に面ファスナ８が縫い付けられた側帯部１２とからなる。
【００３９】
図６および図７に示すように、補助ベルト１０は、中央部１１が膝サポータ１の弾性パッド９の上に貼着され、側帯部１２が膝頭の側部を通って大腿裏側に延伸し、脚裏布３に面ファスナ８で貼着される。このとき、補助ベルト１０の側帯部１２は、長手方向に引き延ばされるようにして張力を与えるように貼着される。
【００４０】
これにより、膝サポータ１は、膝下の部分と膝上の部分とが補助ベルト１０を介して互いに引っ張り合うことで、ずり落ちにくくなる。さらに、着用者の下腿を引っ張り上げることで、膝関節の痛みを和らげる効果もある。
【００４１】
また、補助ベルト１０は、着用者の膝窩を覆わないので、膝を曲げたときに膝の裏側に挟み込まれることがなく、着用者に違和感を与えたり屈伸を阻害することがない。
【００４２】
尚、補助ベルト１０は、中央部１１を面ファスナ８によって膝サポータ１に貼着するのではなく、膝当布２に予め縫い付けてあってもよい。また、弾性パッド９は、膝当布２ではなく、補助ベルト１０に縫い付けてあってもよい。
【００４３】
さらに、補助ベルト１０は、上記の膝サポータ１だけでなく、従来の筒状のニット生地からなる膝サポータなどのずり落ちを防止するために使用することもできる。
【００４４】
本実施形態の膝サポータ１は、脚裏布３と膝上緊締帯６とで膝上を締め付ける膝上固定手段を構成し、独立して、脚裏布３と大腿緊締帯７とで大腿を締め付ける大腿固定手段を構成しているが、独立した大腿固定手段を設けることなく、膝上緊締帯６を上方に延伸して、膝当布２の上伸部２ａの上に巻き付けられるようにしてもよい。だだし、膝上緊締部６を大腿緊締部７のように大きくすると、膝上を強く締め付けることが容易でなくなるので、着用者の大腿まで緊締したい場合は、膝上を締め付ける膝上緊締帯６と、大腿を締め付ける大腿緊締帯７とを別に設けることが好ましい。
【図面の簡単な説明】
【００４５】
【図１】本発明の一実施形態の膝サポータの前方よりの斜視図。
【図２】図１の膝サポータの後方よりの斜視図。
【図３】図１の膝サポータの着用状態を示す前方よりの斜視図。
【図４】図１の膝サポータの着用状態を示す後方よりの斜視図。
【図５】図１の膝サポータに適用可能な補助ベルトの正面図。
【図６】図１の膝サポータの図５の補助ベルトを装着した着用状態を示す前方よりの斜視図。
【図７】図１の膝サポータの図５の補助ベルトを装着した着用状態を示す後方よりの斜視図。
【符号の説明】
【００４６】
１  膝サポータ（本体）
２  膝当布
２ａ  上伸部
３  脚裏布
４  コイルボーン（ばね部材）
５  膝下緊締帯
６  膝上緊締帯
７  大腿緊締帯
８  面ファスナ
９  弾性パッド
１０  補助ベルト
１１  中央部
１２  側帯部
【図１】
2007169861.tif 000003
【図２】
2007169861.tif 000004
【図３】
2007169861.tif 000005
【図４】
2007169861.tif 000006
【図５】
2007169861.tif 000007
【図６】
2007169861.tif 000008
【図７】
2007169861.tif 000009